(57)【要約】【課題】本発明は寸法の異なるものを多数個用意したり、手数と時間のかかる、加熱して寸法調整を行なわなくても、容易で短時間に寸法調整を行なうことができるとともに、デザインの多様化も図ることができる指輪を得るにある。【解決手段】リング状の指輪本体と、この指輪本体に形成された該指輪本体の内径寸法を調整することができる、少なくとも１個所以上の凹部を用いた寸法調整手段とで指輪を構成している。【選択図】  図２
2006129894.tif 000002
【特許請求の範囲】
【請求項１】
リング状の指輪本体と、この指輪本体に形成された該指輪本体の内径寸法を調整することができる、少なくとも１個所以上の凹部を用いた寸法調整手段とからなることを特徴とする指輪。  
【請求項２】
リング状の指輪本体と、この指輪本体に形成された該指輪の内径寸法を伸縮調整することができる、開口部が異なる側面に隣り合うように位置する少なくとも２個以上の凹部を用いた寸法調整手段とからなることを特徴とする指輪。  
【請求項３】
リング状の指輪本体と、この指輪本体に形成された該指輪の内径寸法を伸縮調整することができる、開口部が異なる内・外壁面に隣り合うように位置する、少なくとも２個以上の凹部を用いた寸法調整手段とからなることを特徴とする指輪。
【請求項４】
寸法調整手段は宝石支持具を設けた両側部に設けられていることを特徴とする請求項１、２、３いずれかに記載の指輪。
【発明の詳細な説明】
【技術分野】
【０００１】
本発明は指輪に関する。
【背景技術】
【０００２】
従来の指輪は貴金属をリング状に形成したものや、このリングに宝石を取付けている。
【０００３】
このような指輪は指の太さに応じたサイズの指輪を用意したり、貴金属のリングを加熱して、使用者の指の太さの最適な寸法に修正しなければ使用できないという欠点があった。
【特許文献１】特になし
【発明の開示】
【発明が解決しようとする課題】
【０００４】
本発明は以上のような従来の欠点に鑑み、寸法の異なるものを多数個用意したり、手数と時間のかかる、加熱して寸法調整を行なわなくても、容易で短時間に寸法調整を行なうことができるとともに、デザインの多様化も図ることができる指輪を提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はリング状の指輪本体と、この指輪本体に形成された該指輪本体の内径寸法を調整することができる少なくとも１個所以上の凹部を用いた寸法調整手段とで指輪を構成している。
【発明の効果】
【０００７】
以上の説明から明らかなように、本発明にあっては次に列挙する効果が得られる。
【０００８】
（１）リング状の指輪本体と、この指輪本体に形成された該指輪本体の内径寸法を調整することができる少なくとも１個所以上の凹部を用いた寸法調整手段とで構成されているので、指輪本体を外周部から押し圧あるいは内部にテーパーピン等を押し込むことにより、寸法調整手段が伸縮して、指輪本体の寸法を調整することができる。
したがって、寸法調整が容易で短時間にできるため、販売の現場でお客さんの最適寸法に調整でき、効率よく販売することができる。
【０００９】
（２）前記（１）によって、販売の現場で寸法調整が短時間にできるので、従来のように、預かって寸法調整するものに比べ、販売効率の向上を図ることができる。
【００１０】
（３）前記（１）によって、寸法の異なるものを多数用意しておかなくてもよいので、販売効率がよく、かつ効率よく製造することができる。
【００１１】
（４）前記（１）によって、寸法調整手段をデザインとして用いることにより、デザインの多様化を図ることができる。
【００１２】
（５）請求項２、３、４も前記（１）〜（４）と同様な効果が得られる。
【発明を実施するための最良の形態】
【００１３】
以下、図面に示す本発明を実施するための最良の形態により、本発明を詳細に説明する。
【００１４】
図１ないし図６に示す本発明を実施するための最良の第１の形態において、１は寸法調整が容易に行なうことができる本発明の指輪で、この指輪１は貴金属材でリング状に形成された指輪本体２と、この指輪本体２に形成された宝石３、３Ａ、３Ａを支持する宝石支持台４と、この宝石支持台４と対向する部位の前記指輪本体２に形成された、該指輪本体２の内径寸法を伸縮調整することができる寸法調整手段５とで構成されている。
【００１５】
前記寸法調整手段５は、前記指輪本体２の両側面に交互に開口するように傾斜状態で所定間隔で配置された複数個、本発明の実施の形態では４個の反開口端部が円弧形状の長溝状の凹部６、６、６、６で構成されている。
【００１６】
上記構成の指輪１は大きな寸法に調整する場合には、図５に示すように指輪本体２内にテーパーピン７を挿入して、調整したい寸法部位まで押し圧移動させることにより、寸法調整手段５の長溝状の凹部６、６、６、６の開口部６ａ、６ａ、６ａ、６ａが広がり、調整したい寸法に指輪本体２の寸法を調整することができる。
また、小さい寸法に調整する場合には、図６に示すように指輪本体２を万力８等で押し圧することにより、寸法調整手段５の長溝状の凹部６、６、６、６の開口部６ａ、６ａ、６ａ、６ａが狭まり、調整したい寸法に指輪本体２の寸法を調整することができる。
[発明を実施するための異なる形態]
【００１７】
次に、図７ないし図２３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図７および図８に示す本発明を実施するための第２の形態において、前記本発明を実施するための最良の第１の形態と主に異なる点は、指輪本体２の両側面に交互に開口するように、該側面に対して直角状態で所定間隔で配置された４個の長溝状の凹部６Ａ、６Ａ、６Ａ、６Ａで構成した寸法調整手段５Ａを用いた点で、このような寸法調整手段５Ａを用いて構成した指輪１Ａにしても、前記本発明を実施するための最良の第１の形態と同様な作用効果が得られる。
【００１９】
図９および図１０に示す本発明を実施するための第３の形態において、前記本発明を実施するための最良の第１の形態と主に異なる点は、指輪本体２の両側面より外方へ突出するように４個の凹部６Ｂ、６Ｂ、６Ｂ、６Ｂを有する寸法調整手段５Ｂを用いた点で、このような寸法調整手段５Ｂを用いて構成した指輪１Ｂにしても、前記本発明を実施するための最良の第１の形態と同様な作用効果が得られるとともに、寸法調整手段５Ｂによって、断面形状が小さな指輪本体２であっても、前後方向に回動するのを指輪本体２の両側面より外方に突出する部位で阻止でき、きれいに指に装着させることができる。
【００２０】
図１１および図１２に示す本発明を実施するための第４の形態において、前記本発明を実施するための第３の形態と主に異なる点は、指輪本体２の一側面より外方へ突出する３個の凹部６Ｂ、６Ｂ、６Ｂを有する寸法調整手段５Ｃを用いた点で、このような寸法調整手段５Ｃを用いて構成した指輪１Ｃにしても、前記本発明を実施するための第３の形態と同様な作用効果が得られる。
【００２１】
図１３および図１４に示す本発明を実施するための第５の形態において、前記本発明を実施するための最良の第１の形態と主に異なる点は、指輪本体２の径方向に３個の凹部６Ｃ、６Ｃ、６Ｃを有する寸法調整手段５Ｄを用いた点で、このような寸法調整手段５Ｄを用いて構成した指輪１Ｄにしても、前記本発明を実施するための最良の第１の形態と同様な作用効果が得られる。
【００２２】
図１５ないし図１７に示す本発明を実施するための第６の形態において、前記本発明を実施するための最良の第１の形態と主に異なる点は、宝石支持台４の両端部の指輪本体２にそれぞれ２個の凹部６、６、６、６を有する寸法調整手段５Ｅを用いた点で、このような寸法調整手段５Ｅを用いて構成した指輪１Ｅにしても、前記本発明を実施するための最良の第１の形態と同様な作用効果が得られるとともに、宝石支持台４に支持される宝石３によって、寸法調整手段５Ｅを目立たないようにして、美観の向上を図ることができる。
【００２３】
図１８および図１９に示す本発明を実施するための第７の形態において、前記本発明を実施するための第３の形態と主に異なる点は、２個の凹部６Ｂ、６Ｂを有する寸法調整手段５Ｆを用いた点で、このような寸法調整手段５Ｆを用いて構成した指輪１Ｆにしても、前記本発明を実施するための第３の形態と同様な作用効果が得られる。
【００２４】
図２０および図２１に示す本発明を実施するための第８の形態において、前記本発明を実施するための第７の形態と主に異なる点は、２個の凹部６Ｂ、６Ｂの開口部６ａ、６ａを大きく形成して、主に収縮方向の寸法を調整することができる寸法調整手段５Ｇを用いた点で、このような寸法調整手段５Ｇを用いて構成した指輪１Ｇにしても、前記本発明を実施するための第７の形態と同様な作用効果が得られる。
【００２５】
図２２および図２３に示す本発明を実施するための第９の形態において、前記本発明を実施するための第７の形態と主に異なる点は、２個の凹部６Ｂ、６Ｂの開口部６ａ、６ａがほぼ閉じた状態に形成して、主に伸長方向の寸法を調整することができる寸法調整手段５Ｈを用いた点で、このような寸法調整手段５Ｈを用いて構成した指輪１Ｈにしても、前記本発明を実施するための第７の形態と同様な作用効果が得られる。
【産業上の利用可能性】
【００２６】
本発明は指輪を製造する産業で利用される。
【図面の簡単な説明】
【００２７】
【図１】本発明を実施するための最良の第１の形態の正面図。
【図２】本発明を実施するための最良の第１の形態の底面図。
【図３】本発明を実施するための最良の第１の形態の平面図。
【図４】図２の４−４線に沿う拡大断面図。
【図５】本発明を実施するための最良の第１の形態の大きな寸法にする場合の説明図。
【図６】本発明を実施するための最良の第１の形態の小さな寸法にする場合の説明図。
【図７】本発明を実施するための第２の形態の正面図。
【図８】本発明を実施するための第２の形態の底面図。
【図９】本発明を実施するための第３の形態の正面図。
【図１０】本発明を実施するための第３の形態の底面図。
【図１１】本発明を実施するための第４の形態の正面図。
【図１２】本発明を実施するための第４の形態の底面図。
【図１３】本発明を実施するための第５の形態の正面図。
【図１４】本発明を実施するための第５の形態の底面図。
【図１５】本発明を実施するための第６の形態の正面図。
【図１６】本発明を実施するための第６の形態の底面図。
【図１７】図１５の１７−１７線に沿う拡大断面図。
【図１８】本発明を実施するための第７の形態の正面図。
【図１９】本発明を実施するための第７の形態の底面図。
【図２０】本発明を実施するための第８の形態の正面図。
【図２１】本発明を実施するための第８の形態の底面図。
【図２２】本発明を実施するための第９の形態の正面図。
【図２３】本発明を実施するための第９の形態の底面図。
【符号の説明】
【００２８】
１、１Ａ、１Ｂ、１Ｃ、１Ｄ、１Ｅ、１Ｆ、１Ｇ、１Ｈ：指輪、
２：指輪本体、                                
３、３Ａ：宝石、
４：宝石支持台、
５、５Ａ、５Ｂ、５Ｃ、５Ｄ、５Ｅ、５Ｆ、５Ｇ、５Ｈ：寸法調整手段、
６、６Ａ、６Ｂ：長溝状の凹部、
７：テーパーピン、
８：万力。
【図１】
2006129894.tif 000003
【図２】
2006129894.tif 000004
【図３】
2006129894.tif 000005
【図４】
2006129894.tif 000006
【図５】
2006129894.tif 000007
【図６】
2006129894.tif 000008
【図７】
2006129894.tif 000009
【図８】
2006129894.tif 000010
【図９】
2006129894.tif 000011
【図１０】
2006129894.tif 000012
【図１１】
2006129894.tif 000013
【図１２】
2006129894.tif 000014
【図１３】
2006129894.tif 000015
【図１４】
2006129894.tif 000016
【図１５】
2006129894.tif 000017
【図１６】
2006129894.tif 000018
【図１７】
2006129894.tif 000019
【図１８】
2006129894.tif 000020
【図１９】
2006129894.tif 000021
【図２０】
2006129894.tif 000022
【図２１】
2006129894.tif 000023
【図２２】
2006129894.tif 000024
【図２３】
2006129894.tif 000025